(57)【要約】      （修正有）【課題】半導体処理装置用の基板支持アセンブリを提供する。【解決手段】基板支持アセンブリ３００は、ペデスタル３０５、およびペデスタルと結合されたステム３１０を含む。ペデスタルは、温度が別々に制御される複数の領域が得られるように構成する。各領域は、ステムの内部チャネル３２０から受け入れられ内部チャネルへ送出される温度制御された流体を循環させることによって、その領域内で実質的に均一な温度制御を行うための流体チャネル３２５、３３５を含む。流体チャネルは、平行逆向き流れ配列として構成された複数の部分を含む。ペデスタルはまた、ペデスタルの各領域間の熱分離を行うように構成する流体パージチャネルを含む。【選択図】図３
2018201027.tif 000002
【特許請求の範囲】
【請求項１】
基板処理動作時に基板を支持する基板支持面が設けられたペデスタルと、
前記基板支持面の反対側で前記ペデスタルに取り付けられたステムであって、第１の温度制御された流体を前記ペデスタルに送出し受入れる第１の対のステム内部チャネル、および第２の温度制御された流体を前記ペデスタルに送出し受入れる第２の対のステム内部チャネルを有するステムと、
前記ペデスタルの第１の領域内で実質的に均一な温度制御を行うため、前記第１の領域内に設けられた第１の流体チャネルと、
当該第１の流体チャネルは、第１の入り口から、前記第１の対の一方のステム内部チャネルより前記第１の温度制御された流体を受け入れ、第１の出口から、前記第１の対の他方のステム内部チャネルへ前記第１の温度制御された流体を送出し、前記入り口と前記出口の間に第１の部分および第２の部分が設けられ、前記第２の部分は、前記第１の部分とは垂直な位置関係にあって前記第１の部分と逆向きの平行なパターンとして配置されていて、前記第１の入り口から受け入れた流体が、まず前記第１の部分を通り、その後で前記第２の部分を通り、その後で前記第１の出口を通ること、
前記ペデスタルの第２の領域内で実質的に均一な温度制御を行うため、前記第２の領域内に設けられた第２の流体チャネルと、
当該第２の流体チャネルは、第２の入り口から、前記第２の対の一方のステム内部チャネルより前記第２の温度制御された流体を受け入れ、第２の出口から、前記第２の対の他方のステム内部チャネルへ前記第２の温度制御された流体を送出し、前記入り口と前記出口の間に第３の部分および第４の部分が設けられ、前記第３の部分は、前記第４の部分とは垂直な位置関係にあって前記第４の部分と逆向きの平行なパターンとして配置されていて、前記第２の入り口から受け入れた流体が、まず前記第３の部分を通り、その後で前記第４の部分を通り、その後で前記第２の出口を通ること、
を備える、基板支持アセンブリ。
【請求項２】
前記第１および第２の流体チャネルがそれぞれコイルパターンとして配列される、請求項１に記載の基板支持アセンブリ。
【請求項３】
前記ステムがさらに、前記第１および第２のペデスタル領域と異なる前記ステムの温度を維持するように動作可能な加熱手段を備える、請求項１に記載の基板支持アセンブリ。
【請求項４】
前記第１と第２の流体チャネルが互いに流体分離される、請求項１に記載の基板支持アセンブリ。
【請求項５】
前記基板支持面が円形であり、前記第１の領域が中心に設置され、前記第２の領域が、前記第１の領域を取り囲む環状領域である、請求項１に記載の基板支持アセンブリ。
【請求項６】
前記ペデスタルおよびステムが、互いに電気的に分離された２つの別個の構成要素である、請求項１に記載の基板支持アセンブリ。
【請求項７】
前記第１の流体チャネルの前記第１と第２の部分が、全く垂直に位置合わせされて互いに垂直に配置される、請求項１に記載の基板支持アセンブリ。
【請求項８】
前記第２の流体チャネルの前記第３と第４の部分が、全く垂直に位置合わせされて互いに垂直に配置される、請求項１に記載の基板支持アセンブリ。
【請求項９】
前記ペデスタル内で画定され、パージガスの第１のパージ流路を提供するように構成された第１のパージチャネルをさらに備え、前記第１のパージチャネルが、前記ペデスタルの前記第１の領域と前記第２の領域の間に画定された垂直分離空洞を含み、前記分離空洞が、前記パージガスの一部分を受け入れるように構成される、請求項１に記載の基板支持アセンブリ。
【請求項１０】
前記ペデスタルが複数のプレートを備え、
第１のプレートが前記基板支持面を備え、
前記第１のプレートの下に設置された少なくとも１つのプレートが、前記第１の流体チャネルの前記第１および第２の部分と、前記第２の流体チャネルの前記第３および第４の部分の少なくとも一部と、前記分離空洞の少なくとも一部と、前記第１のパージチャネルとを画定する領域を備え、
前記第１のプレートの下に設置された第２のプレートが、前記第２の流体チャネルの前記第３および第４の部分の少なくとも一部と、前記分離空洞の少なくとも一部とを画定する領域を備える、請求項９に記載の基板支持アセンブリ。
【請求項１１】
前記少なくとも１つのプレートが、
前記第１のプレートの下に設置された第３のプレートであって、前記第１の流体チャネルの前記第１および第２の部分の少なくとも一部と、前記第２の流体チャネルの前記第３および第４の部分の少なくとも一部と、前記分離空洞の第１の部分とを画定する領域を備える、第３のプレートと、
前記第３のプレートの下に設置された第４のプレートであって、前記第１のパージチャネルの少なくとも一部分、ならびに、前記第３のプレートによって画定された前記分離空洞の前記第１の部分と流体連通している前記分離空洞の少なくとも第２の部分を画定する領域を備える、第４のプレートと
を含む少なくとも２つのプレートを備える、請求項１０に記載の基板支持アセンブリ。
【請求項１２】
前記分離空洞が、前記ペデスタルの前記第１の領域と前記ペデスタルの前記第２の領域の間に熱バリアを生成する、請求項９に記載の基板支持アセンブリ。
【請求項１３】
前記ステムと前記ペデスタルの間の境界面に沿って画定された、かつ前記ステムと前記ペデスタルの間に熱バリアを生成する第２のパージ流路を提供するように構成された、第２のパージチャネルをさらに備える、請求項９に記載の基板支持アセンブリ。
【請求項１４】
前記ペデスタルが、前記第２のパージチャネルを少なくとも部分的に画定するパージ分配プレートをさらに備える、請求項１３に記載の基板支持アセンブリ。
【請求項１５】
基板支持面を有するペデスタルと、
前記基板支持面の反対側で前記ペデスタルと結合されたステムであって、温度制御された流体の前記ペデスタルに対する送出および受入れをするように構成された対のステム内部チャネルを含むステムと、
前記ペデスタルの中心領域内に画定された流体チャネルであって、入り口部で前記対のステム内部チャネルの一方と結合され、前記温度制御された流体を前記対のステム内部チャネルの一方から受け入れるように構成され、出口部で前記対のステム内部チャネルの他方と結合され、前記温度制御された流体を前記対のステム内部チャネルの他方へ導くように構成され、かつ前記入り口部と前記出口部の間に第１のチャネル部分および第２のチャネル部分を含み、前記第２のチャネル部分は、前記第１のチャネル部分とは垂直な位置関係にあって、前記第１のチャネル部分と逆向きの平行なパターンとして結合され、前記入り口部で受け入れた流体が、まず前記第１のチャネル部分を通り、その後で前記第２のチャネル部分を通り、その後で前記出口部を通るように、前記第１および第２のチャネル部分が構成される、流体チャネルと
を備える、基板支持アセンブリ。
【請求項１６】
前記流体チャネルが、前記温度制御された流体を前記入り口部から半径方向外向きに前記ペデスタルに通して導くように構成されたコイルパターンとして配列される、請求項１５に記載の基板支持アセンブリ。
【請求項１７】
前記ステムが、前記ステム内部チャネルとは別個である、また前記ペデスタルと異なる温度にステムを維持するように動作可能である、加熱手段を備える、請求項１５に記載の基板支持アセンブリ。
【請求項１８】
前記流体チャネルの前記第１と第２の部分が、全く垂直に位置合わせされて互いに垂直に配置される、請求項１５に記載の基板支持アセンブリ。
【請求項１９】
遠位に設置され外側が閉じた空洞を有するパージチャネルをさらに備え、前記パージチャネルが、前記ペデスタル内で少なくとも部分的に前記流体チャネルの下に画定され、かつ、前記パージチャネル全体にわたって前記ペデスタル内に流体バリアを作り出すために、前記パージチャネル内に含まれるステムパージチャネルから加圧流体を受け入れるように構成される、請求項１５に記載の基板支持アセンブリ。
【請求項２０】
前記ペデスタルが、前記ペデスタルを形成するように互いに結合された複数のプレートを備える、請求項１に記載の基板支持アセンブリ。
【発明の詳細な説明】
【技術分野】
【０００１】
関連出願の相互参照
本出願は、２０１２年７月１８日出願の「ＰＥＤＥＳＴＡＬ  ＷＩＴＨ  ＭＵＬＴＩ−ＺＯＮＥ  ＴＥＭＰＥＲＡＴＵＲＥ  ＣＯＮＴＲＯＬ  ＡＮＤ  ＭＵＬＴＩＰＬＥ  ＰＵＲＧＥ  ＣＡＰＡＢＩＬＩＴＩＥＳ」という名称の米国特許仮出願第６１／６７３，０６７号の利益を主張する。同出願の全内容は、あらゆる目的のための参照により本明細書に組み込まれる。
【０００２】
本技術は、半導体製造用の構成要素および装置に関する。より詳細には、本技術は、基板ペデスタルアセンブリおよび他の半導体処理機器に関する。
【背景技術】
【０００３】
集積回路は、複雑にパターンニングされた材料層を基板面に生成する処理によって実現可能になる。パターニングされた材料を基板上に生成するには、材料を形成および除去するための制御された方法が必要である。これらの処理が行われる温度は、最終製品に直接影響を及ぼし得る。基板温度は、処理時に基板を支持しているアセンブリによって制御され維持されることが多い。支持アセンブリの表面全体にわたって、またはその深部にかけて生じ得る温度変動により、複数の温度ゾーンまたは領域が基板全体にわたって生成され得る。温度が異なるこれらの領域は、基板上で実施される、または基板に対して実施される処理に影響を及ぼし得るので、基板に沿って堆積された膜またはエッチングされた構造体の均一性がしばしば低下する可能性がある。基板の表面に沿った変化の程度に応じて、用途によって生じた不整合性に起因するデバイス故障が発生することがある。
【０００４】
加えて、半導体処理チャンバ内に収納された構造体は、チャンバ内で行われる処理により影響を受ける可能性がある。例えば、チャンバ内で堆積される材料は、基板自体の上と同様にチャンバ内の機器の上にも堆積し得る。したがって、これらおよびその他の理由のために、半導体処理チャンバ内の機器およびアセンブリの改善の必要がある。これらおよびその他の必要なものが、本技術によって対処される。
【発明の概要】
【０００５】
半導体処理装置用の基板支持アセンブリが説明される。このアセンブリは、ペデスタル、およびペデスタルと結合されたステムを含むことができる。ペデスタルは、温度が別々に制御される複数の領域が得られるように構成することができる。各領域は、ステムの内部チャネルから受け入れられ内部チャネルへ送出される温度制御された流体を循環させることによって、その領域内で実質的に均一な温度制御を行うための流体チャネルを含むことができる。流体チャネルは、平行逆向き流れ配列として構成された複数の部分を含むことができる。ペデスタルはまた、ペデスタルの各領域間の熱分離を行うように構成することができる流体パージチャネルを含むこともできる。
【０００６】
第１および第２の流体チャネルは、開示された実施形態では支持アセンブリ内のコイルパターンとして配列することができる。加えて、ステムはさらに、第１および第２のペデスタル領域と異なるステムの温度を維持するように動作可能な加熱手段を含むことができる。第１と第２の流体チャネルは、表面全体にわたって温度差別化を行うために互いに流体分離することができる。基板支持面は、加えて任意の数の形状寸法とすることができ、また円形とすることができる。この円形設計内で、ペデスタルの第１の領域は中心に設置することができ、第２の領域は、第１の領域を取り囲む環状領域とすることができる。後に続く領域を追加して設けることができる。
【０００７】
開示された実施形態では、ペデスタルおよびステムは、互いに電気的に分離された２つの別個の構成要素とすることができる。加えて、第１の流体チャネルの第１および第２の部分は、互いに垂直な関係に配置することができ、実質的なまたは完全な垂直関係にすることができる。支持アセンブリは加えて、ペデスタル内で画定されパージガスの第１のパージ流路を提供するように構成された、第１のパージチャネルを含むことができる。第１のパージチャネルは、ペデスタルの第１の領域と第２の領域の間に画定された垂直分離空洞を含むことができ、この分離空洞は、前記パージガスの一部分を受け入れるように構成することができる。アセンブリのペデスタル部分は、１つまたは複数のプレートを互いに結合することによって形成することができ、またペデスタルは、様々な実施形態で複数のプレートを備えることができる。第１のプレートは基板支持面を備えることができ、第２のプレートは、第１のプレートの下に設置することができ、また第２の流体チャネルの第３および第４の部分の少なくとも一部、ならびに分離空洞の少なくとも一部分を画定する領域を有することができる。
【０００８】
ペデスタルは、第１のプレートの下、または第１と第２のプレートの間に設置された少なくとも１つの追加プレートを含むことができ、この追加プレートは、第１の流体チャネルの第１および第２の部分を画定する領域を含む。少なくとも１つの追加プレートはさらに、第２の流体チャネルの第３および第４の部分の少なくとも一部、分離空洞の少なくとも一部、ならびに第１のパージチャネルを画定する領域を含むことができる。少なくとも１つの追加プレートは、第３および第４のプレートなどの少なくとも２つのプレートから構成することができる。第３のプレートは、第１のプレートの下に設置することができ、また第１の流体チャネルの第１および第２の部分の少なくとも一部と、第２の流体チャネルの第３および第４の部分の少なくとも一部と、分離空洞の第１の部分とを画定する領域を含むことができる。第４のプレートは、第３のプレートの下に設置することができ、また第１のパージチャネルの少なくとも一部分、ならびに、第３のプレートによって画定された分離空洞の第１の部分と流体連通している、分離空洞の少なくとも第２の部分を画定する部分を含むことができる。分離空洞は、ペデスタルの第１の領域とペデスタルの第２の領域の間に熱バリアを生成するように構成することができる。アセンブリはさらに、ステムとペデスタルの間の境界面に沿って画定された第２のパージチャネルを含むことができ、この第２のパージチャネルは、ステムとペデスタルの間に熱バリアを生成するように構成された第２のパージ流路を提供するように構成される。第２のパージチャネルは、追加のパージ分配プレートによって少なくとも部分的に画定することができる。
【０００９】
基板支持アセンブリはまた、基板支持面を有するペデスタルを含めて説明される。アセンブリは加えて、基板支持面の反対側でペデスタルと結合されたステムを含むことができ、このステムは、温度制御された流体をペデスタルに送出し受入れる対をなすステム内部チャネルを含む。アセンブリは、ペデスタルの中心領域内に画定された流体チャネルを含みこの流体チャネルは、入り口部で対の一方のステム内部チャネルと結合されて、このステム内部チャネルから温度制御された流体を受け入れる。流体チャネルはさらに、出口部で対の他方のステム内部チャネルと結合することができ、このステム内部チャネルから温度制御された流体を対の他方のステム内部チャネルへ導くように構成することができる。流体チャネルは、入り口部と出口部の間に第１のチャネル部分および第２のチャネル部分を含むことができ、第２のチャネル部分は、第１のチャネル部分とは垂直な位置関係であって、第１のチャネル部分と逆向きの平行なパターンとして結合することができる。チャネル部分は、入り口部で受け入れた流体が、まず第１のチャネル部分を通り、その後、第２のチャネル部分を通り、その後、出口部を通るように構成することができる。流体チャネルはまた、温度制御された流体を入り口部から半径方向外向きにペデスタルに通して導くように構成されるコイルパターンとして配列することもできる。アセンブリのステムはさらに、ステム内部チャネルとは別個である、またペデスタルと異なる温度にステムを維持するように動作可能である、加熱手段を含むことができる。流体チャネルの第１と第２の部分は、開示された実施形態では、互いに垂直に配置することができ、これらの部分は全く垂直に位置合わせすることができる。ペデスタルはさらに、ペデスタル内で少なくとも部分的に流体チャネルの下に画定され遠位に設置され外側が閉じた空洞を有するパージチャネルを含むことができる。この空洞は、ペデスタルから半径方向外側の位置に設置して、ペデスタルの１つの領域を画定することができる。パージチャネルは、パージチャネル全体にわたってペデスタル内に流体バリアを作り出すために、パージチャネル内に含まれるステムパージチャネルから加圧流体を受け入れるように構成することができる。加えて、アセンブリのペデスタル部分は、ペデスタルを形成するように互いに結合された複数のプレートから形成することができる。
【００１０】
このような技術により、従来の機器と比べて非常に多くの利益を得ることができる。例えば、ペデスタル面全体にわたる温度がより均一な温度に維持されるので、処理される基板の面全体にわたり処理の改善が可能になり得る。加えて、別々の領域を別々の温度に維持することができるアセンブリを提供することにより、より精密な動作を行うことが可能になり得ると共に、機器表面に堆積される材料の量を低減することができる。これらおよびその他の実施形態は、その利点および特徴の多くと共に、以下の説明および添付の図と併せてより詳細に説明される。
【００１１】
開示される実施形態の性質および利点をさらに理解することが、本明細書の残りの部分および図面を参照することにより実現されよう。
【図面の簡単な説明】
【００１２】
【図１】処理ツールの一実施形態の上面図である。
【図２】開示された技術によるペデスタルを見出すことができる処理チャンバの一実施形態の概略断面図である。
【図３】本技術の実施形態による基板支持アセンブリを示す断面図である。
【図４】本技術の実施形態による基板支持アセンブリを示す部分断面図である。
【図５】本技術の実施形態によるペデスタルの構成要素プレートを示す上面図である。
【図６】本技術の実施形態によるペデスタルの構成要素プレートを示す分解組立斜視図である。
【図７】本技術の実施形態によるペデスタルの構成要素プレートを示す上面斜視図である。
【発明を実施するための形態】
【００１３】
添付の図では、類似の構成要素および／または特徴は、同じ数字参照標示を有することがある。さらに、同じ種類の様々な構成要素は、これら類似の構成要素および／または特徴の間で区別する文字が参照標示の後に続くことによって区別されることがある。第１の数字参照標示だけが明細書で使用されている場合には、その説明は、接尾文字にかかわらず、同じ第１の数字参照標示を有する類似の構成要素および／または特徴のいずれか１つに当てはまる。
【００１４】
本技術は、半導体処理動作時の加熱分布および冷却分布に対するペデスタル設計の改善を含む。従来のペデスタルでは、動作時の基板の全体的な温度を制御することができるが、本明細書で説明される技術により、ペデスタルおよびステムの表面および外部の全体にわたる温度特性の制御の改善が可能になる。この技術により、多数の個別ゾーン内でペデスタルが制御できるようになる。そうすることで、ペデスタル上にある基板を表面全体にわたってより均一な温度プロファイルに維持することができるので、改善された動作を行うことができる。これらおよびその他の利益について、以下で詳細に説明する。
【００１５】
図１は、例示的な半導体製造プロセスにおいて使用され、本技術によるペデスタルを見出すことができる処理ツール１００の一実施形態の上面図である。図では、１対のＦＯＵＰ（前面開口一体化ポッド）１０２が様々な寸法の基板を供給し、この基板は、ロボットアーム１０４によって受け取ることができ、またタンデム処理チャンバ１０９ａ〜ｃの基板処理部１０８ａ〜ｆの１つに入れる前に低圧保持領域１０６に入れることができる。基板を保持領域１０６から処理チャンバ１０８ａ〜ｆへ輸送し、戻すには、第２のロボットアーム１１０を使用することができる。
【００１６】
タンデム処理チャンバ１０９ａ〜ｃの基板処理部１０８ａ〜ｆは、基板上で膜を堆積、アニーリング、硬化および／またはエッチングするための、１つまたは複数のシステム構成要素を含むことができる。１つの構成では、処理チャンバのタンデム処理部のうちの２対（例えば、１０８ｃ〜ｄおよび１０８ｅ〜ｆ）を、基板上に流動性誘電材料を堆積するために使用することができ、またタンデム処理部の第３の対（例えば、１０８ａ〜ｂ）は、堆積誘電体をアニールするために使用することができる。別の構成では、処理チャンバのタンデム処理部のうちの２対（例えば、１０８ｃ〜ｄおよび１０８ｅ〜ｆ）は、基板上で流動性誘電材料を堆積もアニールもするように構成することができ、タンデム処理部の第３の対（例えば、１０８ａ〜ｂ）は、堆積膜をＵＶ硬化またはＥビーム硬化するのに使用することができる。さらに別の構成では、タンデム処理部の３対すべて（例えば、１０８ｅ〜ｆ）を、基板上に堆積された誘電体膜をエッチングするように構成することができる。
【００１７】
さらに別の構成では、タンデム処理部のうちの２対（例えば、１０８ｃ〜ｄおよび１０８ｅ〜ｆ）を、誘電体を堆積するのにもＵＶ硬化またはＥビーム硬化するのにも使用することができ、タンデム処理部の第３の対（例えば、１０８ａ〜ｂ）は、誘電体膜をアニーリングするのに使用することができる。流動性誘電体膜用の堆積チャンバ、アニーリングチャンバおよび硬化チャンバからなる追加の構成も、システム１００で考えられることを理解されたい。
【００１８】
加えて、タンデム処理部１０８ａ〜ｆのうちの１つまたはそれ以上を湿式処理チャンバとして構成することもできる。これらの処理チャンバでは、湿気を含む雰囲気中で誘電体膜を加熱することを含み得る。したがって、システム１００の実施形態は、堆積誘電体膜に対し湿式と乾式の両アニーリングを行うために、湿式処理タンデム処理部１０８ａ〜ｂおよびアニールタンデム処理部１０８ｃ〜ｄを含み得る。
【００１９】
図２は、本技術の実施形態による、仕切られたプラズマ発生領域を処理チャンバ内に含むことができる処理システム２００の簡略化断面図を示す。この処理システムは、処理チャンバ２０５の外側に設置された流体供給システム２１０などの構成要素を任意選択で含むことができる。処理チャンバ２０５は、周囲の圧力とは異なる内部圧力を保持することができる。例えば、処理チャンバ内部の圧力は、処理時に約１０ミリトールから約２０トールとすることができる。
【００２０】
動作時、処理ガスを第１のプラズマ領域２３５の中に、ガス入り口アセンブリ２４０を通して流し込むことができる。プロセスガスは、第１のプラズマ領域２３５に入る前に、遠隔プラズマシステム（ＲＰＳ）２１５の中で励起することができる。蓋２２０、シャワーヘッド２２５、および基板２５５が上に配置された基板支持体２４５が、開示された実施形態によって示されている。蓋２２０は、ピラミッド形、円錐形、または他の同様の、狭い上部が広い底部に向かって広がる構造とすることができ、あるいは図示のように比較的平坦にすることができる。蓋２２０は、印加ＡＣ電圧源を含むことができ、シャワーヘッド２２５は、第１のプラズマ領域２３５におけるプラズマ発生に適合して、接地することができる。絶縁リング２３０が蓋２２０とシャワーヘッド２２５の間に配置されて、容量性結合プラズマ（ＣＣＰ）を第１のプラズマ領域２３５に形成することが可能になり得る。
【００２１】
蓋２２０は、開示された実施形態による処理チャンバと共に使用するための２供給源蓋とすることができる。流体入り口アセンブリ２４０は、ガスなどの流体を第１のプラズマ領域２３５に導入することができる。流体入り口アセンブリ２４０は、アセンブリの中に２つの別個の流体供給チャネルを含むことができる。第１のチャネルは、ＲＰＳ  ２１５を通過するガスなどの流体を輸送することができ、第２のチャネルは、ＲＰＳ  ２１５をバイパスするガスなどの流体を輸送することができる。開示された実施形態では、第１のチャネルは処理ガス用に使用することができ、第２のチャネルは処置ガス用に使用することができる。各ガスは、プラズマ領域２３５に流れ込むことができ、またバッフル（図示せず）によって分散させることができる。蓋２２０およびシャワーヘッド２２５は間に、シャワーヘッド２２５に対してＡＣ電位を蓋２２０に印加できるようにする絶縁リング２３０を有して示されている。
【００２２】
本明細書に記載のシャワーヘッド２２５の実施形態によって、前駆体などの流体を第２のプラズマ領域２５０に流し込むことができる。プラズマ領域２３５内の処理ガスから導出された励起核種がシャワーヘッド２２５の開孔を通って移動し、シャワーヘッドから第２のプラズマ領域２５０に流れ込む前駆体と反応することができる。第２のプラズマ領域２５０内にはプラズマがほとんど、または全く存在することができない。処理ガスと前駆体の励起誘導体は、基板上方の領域内で結合することができる。
【００２３】
第１のプラズマ領域２３５内で処理ガスを直接励起することで、またはＲＰＳ  ２１５内で処理ガスを励起することで、または両方で、いくつかの利益を得ることができる。処理ガスから導出される励起核種の濃度は、第１のプラズマ領域２３５内のプラズマのゆえに、第２のプラズマ領域２５０の中で増大させることができる。この増大は、第１のプラズマ領域２３５内のプラズマの位置の結果として生じ得る。第２のプラズマ領域２５０は、ＲＰＳ  ２１５よりも第１のプラズマ領域２３５に近接して設置することができ、それによって、励起核種が他のガス分子、チャンバの壁、およびシャワーヘッドの表面と衝突することによって励起状態を脱するのに残される時間が少なくなる。
【００２４】
処理ガスから導出される励起核種の濃度の均一性もまた、第２のプラズマ領域２５０の中で向上させることができる。この向上は、第２のプラズマ領域２５０の形状によりいっそう類似することができる、第１のプラズマ領域２３５の形状の結果として生じうる。ＲＰＳ  ２１５内で生成される励起核種は、シャワーヘッド２２５の端面近くの開孔を通るのに、シャワーヘッド２２５の中心に近い開孔を通る各種と比べて、より大きい距離を移動する可能性がある。距離がより大きいと、励起核種の励起が低減することになる可能性があり、例えば、基板の端面近くで成長速度が遅くなる可能性がある。第１のプラズマ領域２３５内で処理ガスを励起すると、この変化の程度を軽減することができる。
【００２５】
処理ガスは、ＲＰＳ  ２１５内で励起することができ、また第２のプラズマ領域２５０まで励起状態でシャワーヘッド２２５を通過させることができる。あるいは、電力を第１の処理領域に印加して、プラズマガスを励起するか、またはすでに励起されたＲＰＳ  ２１５からの処理ガスを増強することができる。プラズマは、第２のプラズマ領域２５０で発生させることができるが、別法としてプラズマを第２のプラズマ領域では発生させないこともある。一例では、処理ガスまたは前駆体の唯一の励起は、ＲＰＳ  ２１５内での処理ガスの励起によるものとして、第２のプラズマ領域２５０内で前駆体と反応させることができる。
【００２６】
プラズマ発生ガスおよび／またはプラズマ励起核種は、プラズマ励起領域２３５の中により均一に送出するために、蓋２２０の複数の孔（図示せず）を通過させることができる。例示的な構成には、ガス／核種が蓋２２０の孔を通過してプラズマ励起領域２３５に入るように、プラズマ領域２３５から蓋２２０によって仕切られたガス供給領域２６０の中に開く入り口２４０を有することが含まれる。構造的および動作的な特徴は、プラズマ励起領域２３５から供給領域２６０、入口２４０、および流体供給システム２１０の中へ戻る大幅なプラズマの逆流を防止するように選択することができる。構造的な特徴として、逆流プラズマを不活性化する蓋２２０の孔の寸法および断面形状寸法を選択することが含まれ得る。動作的な特徴としては、シャワーヘッド２２５を通るプラズマの単方向の流れを維持する、ガス供給領域２６０とプラズマ励起領域２３５の間の圧力差を維持することが含まれ得る。
【００２７】
シャワーヘッド２２５は、帯電していない中性核種またはラジカル核種がシャワーヘッド２２５を通過できるようにしながらもイオン的に帯電した核種がプラズマ励起領域２３５の外へ移動することを抑制する、複数の孔を含むことができる。これらの帯電していない核種は、低反応性キャリアガスと共に孔を通して輸送される高反応性核種を含み得る。上記のように、孔を通るイオン核種の移動は低減させることができ、場合によっては完全に抑制することができる。シャワーヘッド２２５を通過するイオン核種の量を制御することにより、下にあるウエハ基板と接触させる混合ガスに対する制御を向上させることができるので、混合ガスの堆積特性および／またはエッチング特性の制御が向上する。
【００２８】
シャワーヘッド２２５の複数の孔は、シャワーヘッド２２５を通る活性化ガス（すなわち、イオン核種、ラジカル核種、および／または中性核種）の通過を制御するように構成することができる。例えば、孔のアスペクト比（すなわち、孔直径対長さ）および／または孔の形状寸法は、シャワーヘッド２２５を通過する活性化ガス中のイオン的に帯電した核種の流れが低減されるように調節することができる。シャワーヘッド２２５が、シャワーヘッドと電気的に結合したイオン抑制器を含む実施形態では、シャワーヘッドの上方に配置できるイオン遮断物の孔は、プラズマ励起領域２３５に面するテーパ部分と、シャワーヘッドに面する円筒形部分とを含むことができる。円筒形部分は、シャワーヘッドに向かって通過するイオン核種の流れを制御するように形成し寸法設定することができる。調整可能な電気的バイアスもまた、イオン核種の流れを制御する追加の手段としてシャワーヘッド２２５に加えることができる。
【００２９】
堆積またはエッチング処理が行われるかどうかに応じて、ガスおよびプラズマ励起核種をシャワーヘッド２２５に通し、基板まで誘導することができる。シャワーヘッドはまた、ガスまたはプラズマ核種の流れを誘導することもできる。シャワーヘッドは、１つまたは複数のガスの流れを誘導するための複数の流体チャネルを含むことができる２ゾーンシャワーヘッドとすることができる。２ゾーンシャワーヘッドは、プラズマ励起核種が反応領域２５０の中に向かって通過できるようにするチャネルの第１の組と、第２のガス／前駆体混合物を反応領域２５０の中へ送出するチャネルの第２の組とを有することができる。
【００３０】
流体送出源をシャワーヘッドと結合して前駆体を送出することができ、この前駆体は、プラズマ励起領域２３５をバイパスして、シャワーヘッドの中からチャネルの第２の組を通って反応領域２６０に入る。シャワーヘッド内のチャネルの第２の組は、行われるべき処理に対して選択されるソースガス／前駆体混合物（図示せず）と流体結合することができる。例えば、処理システムが基板表面のエッチングを行うように構成される場合、ソースガス／前駆体混合物は、オキシダント、ハロゲン、水蒸気および／またはキャリアガスなどのエッチャントを含むことができ、これらのエッチャントは、シャワーヘッド内のチャネルの第１の組から分散されたプラズマ励起核種と反応領域２５０の中で混合する。プラズマ励起核種中の過剰なイオンは、核種がシャワーヘッド２２５の孔を通って移動するときに低減させることができ、また核種がシャワーヘッド内のチャネルを通って移動するときにさらに低減させることができる。
【００３１】
ペデスタル２４５は、基板またはウエハ２５５を支持および移動するように動作可能とすることができる。ペデスタル２４５とシャワーヘッド２２５の底部との間の間隔は、反応領域２５０を画定する助けになる。ペデスタル２４５は、シャワーヘッド２２５を通過したガスに対してウエハ基板を再配置することによって、反応領域２５０を増大または減少させ、かつウエハ基板の堆積またはエッチングに影響を及ぼすように、処理チャンバ２０５の中で垂直または軸方向に調整可能とすることができる。
【００３２】
ペデスタル２４５はまた、抵抗加熱要素などの加熱要素を用いて、基板を加熱温度（例えば、約９０℃から約１１００℃まで）に維持するように構成することもできる。例示的な加熱要素は、基板支持プラッタに埋め込まれる単一ループヒータ要素を含むことができ、このヒータ要素は、平行同心円の形で２つ以上の完全ターンを作る。ヒータ要素の外側部分を支持プラッタの外周に隣接して通すことができ、内側部分は、より小さい半径を有する同心円の軌道上に通すことができる。ヒータ要素への配線は、ペデスタルのステム中に通すことができる。
【００３３】
２ゾーンシャワーヘッド、ならびに処理システムおよびチャンバが、２０１１年１０月３日出願の特許出願第１３／２５１，７１４号にもっと完全に記載されており、同出願は、本明細書の特許請求される特徴および説明と一致しないことはない範囲で、あらゆる目的のための参照により本明細書に組み込まれる。
【００３４】
次に図３を参照すると、本技術の実施形態による基板支持アセンブリ３００の断面図が示されている。支持アセンブリ３００は、ペデスタル３０５およびステム３１０を含む。ステム３１０はまた、ペデスタル３０５が上に設置されているベース３１２を含むこともできる。ペデスタル３０５は、半導体処理動作時に基板を支持するように構成されている基板支持面３１５を含むことができる。基板支持面３１５は、アルミニウムなどの金属、またはセラミックもしくは他の材料から作ることができ、また耐腐食性の改善、基板との接触の改善などを実現する他の材料で処理またはコーティングすることができる。
【００３５】
ステム３１０は、基板支持面３１５の反対側でペデスタル３０５に取り付けることができる。ステム３１０は、温度制御された流体、加圧流体、またはガスをペデスタル３０５へ送出しペデスタル３０５から受け入れるように構成された１つまたは複数の内部チャネル３２０を含むことができる。例示的なステム３１０は、対に分割することができる４つの内部チャネル３２０を含むことができる。代替配列では、より多くの、またはより少ないチャネルを含むことができ、流体送出のための１個、２個、３個、４個、５個、６個、７個、８個、１０個、１２個など、またはそれより多いチャネルを含むことができる。内部チャネル３２０の第１の対は、そのチャネルをそれぞれ通して、第１の温度制御された流体のペデスタル３０５に対する送出および受入れをするように構成することができる。内部チャネル３２０の第２の対は、そのチャネルをそれぞれ通して、第２の温度制御された流体のペデスタル３０５に対する送出および受入れをするように構成することができる。ステムはまた、ペデスタル内で維持されている温度と異なるステムの温度を維持するように動作可能な１つまたは複数の加熱手段を含むこともできる。例えば、ステムは、ステムの周りに被せられた、またはその中に組み込まれた流体循環システムを含むことができる。あるいは、ステム３１０はまた、ある特定の温度（例えば、約９０℃から約１１００℃まで）にステムを維持するように、抵抗加熱要素などの加熱要素を用いて構成することもできる。ヒータ要素への配線は、ペデスタルのステムに通すことができ、または別の方法でチャンバに通して導くことができる。ステムを適切な温度に維持することにより、支持アセンブリ３００のステム部分上の堆積を制限または防止することが可能になり得る。
【００３６】
第１および第２の温度制御された流体は、ペデスタル３０５内に設置された流体チャネルを通してペデスタルの同じ領域または異なる領域まで送出することができる。例えば、第１の温度制御された流体は、ペデスタル３０５の第１の領域３３０内の第１の流体チャネル３２５まで送出することができる。第２の温度制御された流体は、ペデスタル３０５の第２の領域３４０内の第２の流体チャネル３３５まで送出することができる。これら２つの流体は、同じ流体または異なる流体とすることができ、２つの領域３３０、３４０を同様の温度または異なる温度に維持するために、同じ温度または異なる温度で供給することができる。例えば、第２の温度制御された流体は、第１の温度制御された流体よりも高い温度または低い温度で送出することができ、これにより、第２の領域３４０を第１の領域３３０よりもそれぞれ高い温度、または低い温度にすることができる。これを用いて、ウエハ全体にわたってエッチングプロファイルおよび堆積プロファイルに影響を及ぼすことができ、またこれを用いて、異なる場所でどれだけ堆積またはエッチングが行われるかに影響を及ぼすこともできる。温度制御された流体の循環により、基板温度を比較的低い温度に、例えば約−２０℃から約１５０℃に維持すること、ならびにずっと高い温度に、例えば約９０℃から約１１００℃に維持することが可能になる。温度は、約０℃と１００℃、１００℃未満または１００℃超などの間で二者択一的に維持することができる。例示的な熱交換流体には、エチレングリコールおよび水が含まれるが、他の流体を利用することもできる。代替アセンブリ３００では、基板を加熱する加熱エネルギーを供給するために、抵抗加熱要素がチャネル内に配置される。さらに別の代替形態では、流体チャネルは、抵抗加熱要素だけでなく、温度制御された流体の循環のためのスペースも含むように構成され、その結果、温度制御の複数の選択肢が得られるようになる。
【００３７】
第１および第２の流体チャネルのそれぞれは、温度制御された流体を受け入れ送出するための入り口と出口の両方で、ステム内部チャネル３２０と結合することができる。温度制御された流体は次に、ペデスタル領域内で実質的に均一な温度制御を行うために、流体チャネルを通して循環させることができる。いくつかの実施形態では、第１と第２の流体チャネルは、互いに流体分離される。流体チャネルは、温度制御された流体をペデスタル領域に通して循環させる、螺旋、コイルまたは他の、幾何学的なパターンを含む様々なパターンで配列することができる。
【００３８】
流体チャネル循環は、第１と第２の領域で同様とすることができ、本明細書では第１の領域３３０に関して説明する。第１の流体チャネル３２５は、第１の温度制御された流体を受け入れるように、第１の入り口３２７でステム内部チャネル３２０の第１の対の一方と結合することができる。第１の流体チャネル３２５は、第１の温度制御された流体をペデスタル３０５の第１の領域３３０を通して循環させた後に送出するように、第１の出口３２９でステム内部チャネル３２０の第１の対のもう一方と結合することができる。第１の流体チャネル３２５は、入り口３２７と出口３２９の間に、第１の部分３３１および第２の部分３３３を含むことができる。第２の部分３３３は、第１の部分３３１から垂直に配置することができ、代替実施形態では、第１の部分３３１の上方または下方に設置することができる。代替配列では、第２の部分３３３は第１の部分３３１から水平に配置することができる。第１と第２の部分はまた、互いに正確に垂直の配列で配置することもでき、例えば、第１の部分３３１が第２の部分３３３の真上に配置される。あるいは、第２の部分３３３は、どちらかの側と全く垂直の関係から変位させることもできる。
【００３９】
第１の流体チャネルの第１と第２の部分の配列は、第１の温度制御された流体の様々な流量パターンのうちの１つを作り出すようなものとすることができる。一実施形態では、第１と第２の部分は、第１の温度制御された流体の平行逆向き流量パターンを生成するように配列される。具体的には、温度制御された流体は、第１の入り口３２７で受け入れられた後、第１の流体チャネルの第１の部分を通って、ステム内部チャネルに近い位置から外向きに、第１の領域３３０の遠位部分へと流れることができる。次に、温度制御された流体は、第１の流体チャネルの第１と第２の部分の間で移送することができ、第１の領域３３０の遠位部分から内向きに、ステム内部チャネルに近い位置へと流れることができる。温度制御された流体は次に、第１の出口３２９でステム内部チャネル３２０へ送出することができる。
【００４０】
２つのチャネルが近接している平行逆向き流れ配列にすると、より均一な温度プロファイルを基板支持面の全体にわたり生成することによって、温度制御の改善を行うことができる。例えば、図示のようにチャネルが全く垂直に位置合わせされている場合、流体の流れの全体領域が平均して均一な温度になり得る。流体がチャネルを通して流されると、熱が流体の温度に応じて消散または吸収され得る。流体の温度が変化すると、ペデスタルの温度は、すべての場所で均一のままではなくなる可能性がある。しかし、垂直に位置合わせされたチャネルの平行逆向き流れ配列にすると、流体温度平均化が起きる。例えば、流体が冷却に使用される場合、入口点は最低流体温度を有する可能性があり、出口点は最高流体温度を有する可能性がある。したがって、チャネルのこれらの部分が近接することができるので、流体は、その領域内である特定の温度になり得る。その領域の遠位部分では、流体は、入り口の流体温度と出口の流体温度の間の温度になることができ、流体が遠位領域で流れが逆になるので、その領域内の特定の温度は、ステム近くの平均温度と同様になり得る。したがって、流体流速およびチャネル配向に基づいて、従来の設計では得ることができない、ペデスタル全体にわたってより均一な温度プロファイルを得ることができる。
【００４１】
第２の流体チャネル３３５の構成要素のいくつかは、入り口および出口を含め、図を簡単にするために図３には示されていないが、第２の流体チャネル３３５は、第２の領域３４０の中に同様に配列することができる。例えば、第２の流体チャネル３３５は、ペデスタル３０５の第２の領域３４０内で実質的に均一な温度制御を行うように構成することができる。第２の流体チャネル３３５は、ステム内部チャネル３２０の第２の対の一方から第２の温度制御された流体を受け入れるための第２の入り口と結合することができ、またステム内部チャネル３２０の第２の対のもう一方へ第２の温度制御された流体を送出するための第２の出口と結合することができる。第２の流体チャネルは、第３の部分３３７および第４の部分３３９を含むことができ、この第３の部分３３７は、第４の部分３３９から垂直に配置され、また第４の部分３３９との平行逆向きパターンとして配列される。このようにして、第２の入り口で受け入れられる流体は、第４の部分３３９を通って流れる前に第３の部分３３７に通し、その後に第２の出口に通して循環させることができる。この流体の循環、およびチャネルの配列は、第１の流体チャネルの配列と同様にすることができ、あるいは上記で論じた代替構成のうちの１つとすることができる。第１の流体チャネルと同様に、第２の流体チャネルの第３および第４の部分は、互いに垂直に配置すること、または１つの代替構成として配置することができる。第３と第４の部分はまた、互いに正確に垂直の配列で配置することもでき、例えば、第３の部分３３７が第４の部分３３９の真上に配置される。あるいは、第４の部分３３９は、どちらかの側と全く垂直の関係から変位させることもできる。さらに別の代替形態では、第４の部分３３９は、第２の流体チャネル３３５の第３の部分３３７の上方に配置することができ、あるいは流れの方向を逆にすることもできる。図３は、第２の流体チャネルでは単一のループを示しているが、チャネル配向および寸法、ならびにペデスタル寸法に基づいて任意の数のループを設けることができる。第１の流体チャネルと同様に第２の流体チャネルは、その領域の周りに任意の数の接続リングまたは螺旋リングを含むことができ、異なる実施形態では、１つまたは複数のリング、ならびに３個、４個、５個、６個、７個、８個、９個、１０個以上など、またはそれより多いチャネルのループを含むことができる。
【００４２】
基板支持面３１５は、円形、楕円形、または他の幾何学的形状を含む、様々な形状とすることができる。１つの例示的な技術のペデスタルは、実質的に円形であり、第１の領域３３０がペデスタル上の中心に設置され、また第２の領域３４０が環形状であり、第１の領域を取り囲んでいる。それぞれの領域はまた、他のものと類似または異なる外形とすることができる。追加の領域を同様に、別個の流体チャネルを有する領域の部分として、または互いに半径方向外向きに配置された追加の環状部として創り出すことができる。
【００４３】
ペデスタル３０５とステム３１０はアセンブリ３００では互いに分離することができる。例えば、接触点３４５および３５０に、ペデスタル３０５とステム３１０を互いに電気的および／または熱的に分離できるようにする追加の材料を配置することができる。第１の接触位置３４５で、Ｏリング、セラミックリング、または他の絶縁性材料をペデスタル３０５とステム３１０の間に、アセンブリ３００のこれら２つの部分が直接に物理的に接触しないように、または限定的に物理的に接触するように置くことができる。同様に、接触位置３５０で、Ｏリング、セラミックリング、または他の絶縁性材料をペデスタル３０５とステム３１０の間に置くことができる。この配列の１つの利益は、基板は堆積動作時に比較的低い温度に保つことができるように、しかしステムはアセンブリ３００の表面への堆積を制限する高い温度に保つことができるように、ステムを例えばペデスタルよりもかなり高い温度に維持できることである。これらの部分の間の熱分離をすることによって、ステムの温度は、どの場所でも基板の温度に影響を及ぼさなくなるか、または及ぼす影響が最小限になり得る。加えて、接触位置３５０で利用される材料は、ペデスタル３０５の端面をステム３１０と同様に加熱できるがステムからは電気的に分離されるように、電気的に絶縁性であるが伝導性熱伝達が得られる材料とすることができる。
【００４４】
基板支持面３１５は、接合、溶接、融合、または別の方法で互いに結合された複数のプレートを含み得るペデスタルアセンブリ３２０の１つの構成要素プレートとすることができる。例示的な実施形態では、ペデスタルアセンブリ３２０は５つのプレートを含み、代替実施形態では、ペデスタルアセンブリは５つ未満のプレート、５つ以上のプレート、少なくとも３つのプレートなどを含む。基板支持面３１５は、アセンブリの第１のプレートとすることができる。ペデスタルアセンブリ３２０は、流体チャネルを少なくとも部分的に画定する第２のプレートを含み得る。プレート配列および構成については、以下でさらに説明する。
【００４５】
図４は、本技術の実施形態による基板支持アセンブリ４００の部分断面図を示す。アセンブリ４００は、図３に関して上述したものと類似の構成要素を含むことができる。図示のように、アセンブリ４００はペデスタル４０５およびステム４１０を含む。ペデスタルは、前に論じたように基板支持面４１５を含むことができる。ペデスタル４０５は、例えば第１の領域４３０および第２の領域４４０を含み得る複数の領域を含むことができる。各領域は、ペデスタル４０５を既定の温度まで加熱または冷却するように構成された、温度制御された流体を循環させる流体チャネルを含むことができる。このチャネルは、別法として、または加えて、ペデスタル４０５のさらなる温度調整のためにチャネルを通した抵抗加熱を行えるようにできる加熱要素を含むことができる。第１の領域４３０は第１のチャネル４２５を含むことができ、第２の領域４４０は第２のチャネル４３５を含むことができる。前に論じたように、第１と第２のチャネルは、別の温度制御された流体を第１および第２の領域のそれぞれに通して循環できるように、流体分離することができる。一例では、第２の領域は約１００℃に維持することができ、第１の領域は約５０℃に維持することができ、またはその逆にすることができる。前述した範囲内の任意の特定の温度を、第１または第２の領域のどちらかで別個に維持することができる。このようにして、複数の温度配列を利用することができ、それぞれの領域が他の領域と同じ温度、または異なる温度に維持される。
【００４６】
ペデスタル４０５はまた、ペデスタルの中で画定された、かつパージ流路が得られるように構成された１つまたは複数のパージチャネルを含むこともできる。例えば、第１のパージ流路４５０は、ペデスタル４０５の一部分によって画定することができる。例示的なペデスタル４０５は、第１のパージ流路４５０を画定するプレートを含み得る複数の接合プレートを含むことができる。第１のパージ流路４５０は、ペデスタル４０５内に画定された複数のパージ出口４５５を通して排気されるペデスタル全体にわたって、パージ流体を循環させることができる。図４は１つのパージ出口４５５を示すが、任意の数のパージ出口が別々の構成で含まれてよく、また出口の１つまたは複数のリングとしてペデスタルの中に含まれてもよい。この特徴については、以下で図５を参照してより詳細に論じる。
【００４７】
第１のパージ路４５０は、任意の数のパターンとしてペデスタル４０５の中に構成することができる。例えば、第１のパージ路４０５は、基板支持面４１５と、上述のように加熱することができるステム４１０との間の熱分離をするために、ペデスタル４０５全体にわたってコイルパターンとして構成することができる。あるいは、パージ流体を真っ直ぐパージ出口４５５まで導く複数の直線チャネルをペデスタル内に形成することもできる。多くの異なる変形形態が、第１のパージチャネル４５０を備えることができ、またペデスタル全体にわたって均一なパージ流量を与えるように配列され得る。パージ流体は、ステム４１０内の内部チャネル４２０から第１のパージチャネル４５０に通し、パージ出口４５５に通して外へ送出することができる。パージ流体は、不活性ガスを含むガスとすることができ、このガスは、基板支持面４０５の孔またはチャネルの中に処理副生成物が形成されることを制限または防止するために利用される。堆積処理および／またはエッチング処理が行われるとき、処理の副生成物は、基板支持アセンブリの上を含めて、基板処理チャンバ内の領域に常に凝縮する。これらの副生成物が基板支持面４１５の上または中に蓄積した場合、その面に置かれた後続の基板が傾斜することがあり、そのため不均一な堆積またはエッチングが結果として生じる可能性がある。ペデスタルを通して送出されるパージガスには、基板支持面から反応物質を取り除き排除する能力があり得る。
【００４８】
第１のパージチャネル４５０は、第１のパージチャネル４５０の遠位部分に垂直分離空洞４６０を付加的に含むことができる。垂直分離空洞は、第１の領域４３０の周辺に設置することができ、また第１のパージチャネル４５０を通してパージガス流の一部分を受け入れるように構成することができ、パージガスの一部分が、第１の領域４３０と第２の領域４４０の間の熱分離をするために分離空洞４６０内に維持される。いくつかの配列では、分離空洞４６０およびパージ出口４５５まで別々にガスを送出するために、複数のパージチャネルが含まれる。分離空洞４６０と結合されたチャネルは、チャネルを流体によって加圧できるように外側で閉じることができる。加圧ガスまたは加圧流体は、分離空洞まで送出して、または空洞の中で加圧して、分離空洞の場所にバリアまたは温度カーテンを設けることができる。分離空洞４６０は、ペデスタル全体の周囲で第１と第２の領域４３０、４４０を分離することができるチャネルとして配列することができる。バージガスまたはパージ流体は、ペデスタル領域中で循環させる温度制御された流体の温度制御に影響を及ぼさないように、加熱または冷却して分離空洞４６０まで送出することができる。あるいは、パージガスは、ペデスタル全体にわたって温度プロファイルを調整するように選択された温度で送出することもできる。例示的なペデスタルでは、分離空洞４６０は、ペデスタルの複数のプレートにわたって分散させることができる。例えば、基板支持面は、ペデスタルの第１のプレートとすることができ、第１および第２の流体チャネル４２５、４３５は、ペデスタルの第２のプレート内で少なくとも部分的に画定することができる。第２のプレートはまた、分離空洞４６０の第１の部分を少なくとも部分的に画定することもできる。第３のプレートは、第１のパージチャネル４５０ならびに、第２のプレートによって画定された分離空洞の第１の部分と流体連通している、分離空洞４６０の第２の部分を少なくとも部分的に画定することができる。このようにして、分離空洞４６０は、第１と第２の流体チャネル４２５、４３５の間、およびペデスタル４０５の第１の領域４３０と第２の領域４４０の間に熱バリア作り出すことができる空洞まで、パージガスの一部分を送出することによって利用することができる。
【００４９】
ペデスタル４０５はまた、ステム４１０とペデスタル４０５の間の境界面に沿って画定することができる第２のパージチャネル４６５を含むこともできる。第２のパージチャネル４６５は、ステム４１０とペデスタル４０５の間に追加の熱バリアを生成することができるパージガスの第２のパージ流路を提供するように構成することができる。したがって、一例では、処理副生成物の堆積量を制限するためにステム４１０に加えられる熱が、ペデスタル４０５によって適用される温度制御方式に影響を及ぼす可能性がない。第２のパージチャネル４６５は、第２の分離空洞およびパージ出口４７０を付加的に含むことができる。第２の分離空洞およびパージ出口４７０は、第２のパージチャネル４６５を通して送出されるパージガスの一部分を受け入れるように構成することができ、またペデスタルの端面４７５とペデスタル４０５の第２の領域４４０との間の付加的な熱分離をすることができる。したがって、ペデスタルの端面４７５は、第２の領域４４０の基板支持面４１５で均一な温度プロファイルがより容易に得られるようにペデスタル４０５にバリアを提供しながら、機器上の副生成物堆積の量を低減するために、ステム４１０と同様のやり方で加熱することができる。
【００５０】
第２の分離空洞４７０は、第１の分離空洞４６０と同様に機能し、また配列することができる。パージガスまたはパージ流体は、ステム４１０の内部チャネル４２０から送出することができ、また、パージガスを第１のパージチャネル４５０へ送出するものと同じ、または異なる内部チャネル４２０とすることができる。第１および第２のパージチャネル４５０、４６５へ送出されるパージガスは、代替実施形態では同じであることも異なることもある。パージガスは、分離空洞４７０の上部のパージ出口を通して放出される前に、第２のパージチャネル４６５を通して第２の分離空洞４７０の中へ送出することができる。分離空洞４７０の上部のパージ出口は、第１のパージガスが通されて放出される出口４５５と同様とすることができる。あるいは、パージガスが流れるように、第２の分離空洞４７０の上部全体の周りに空間を作り出すこともできる。あるいは、第２の分離空洞４７０は、流体増強または加圧を第２の分離空洞内で実施して、ペデスタルの外側端面で熱バリアの強化を実現できるように、外側で閉じることもできる。
【００５１】
図５は、本技術の実施形態によるペデスタルの構成要素プレート５００の上面図を示す。プレート５００は、ペデスタルを形成するいくつかの構成要素プレートのうちの１つとすることができる。プレート５００は、第１の領域５３０内に配置された第１の流体チャネル５２５、ならびに第２の領域５４０内に配置された第２の流体チャネル５３５を含む。第１の流体チャネルは、コイルパターンとして配列されているが、別法として、螺旋または他の、温度制御された流体の循環のための幾何学的パターンとして配列することもできる。図５は、チャネルの第１の部分、すなわち上部分を示しているが、プレートは、チャネルの第２の部分を追加して下に画定することができる。これら上部分および底部分は、互いの鏡像とすること、すなわち反転パターンとすることができる。１つの例示的なプレート５００では、温度制御された流体がプレートの中心を通って第１の流体チャネル５２５まで送出され、また第１の流体チャネル５２５の遠位位置の方へ外向きに送出される。次に、温度制御された流体は、流体チャネルの底部分（図示せず）まで移送され、ここで、流体チャネル５２５の上部分と比較して平行逆向きパターンで、元のプレートの中心の方へ循環される。温度制御された流体の、第１の流体チャネルとの受入れおよび送出は、支持アセンブリのステムの内部チャネルとの接続部を通して行われ得る。
【００５２】
プレート５００はまた、第１の流体チャネル５２５を通して送出される温度制御された流体と同じであることも異なることもある温度制御された流体の循環のための、プレート５００の第２の領域５４０の周りにコイルとして配列された第２の流体チャネル５３５を含む。単一の通路配列として示されているが、プレート５００のサイズに応じて複数の通路またはコイル構成を利用することができる。第２の流体チャネル５３５はまた、第２の温度制御された流体の平行逆向き循環配列にするために、プレートの下側に第２の部分（図示せず）を含むこともできる。
【００５３】
プレート５００はまた、プレート５００の第１の領域５３０と第２の領域５４０の間に熱バリアを生成するために利用できる、分離空洞５６０を含むこともできる。この分離空洞は、分離空洞５６０を充填できるパージ流体を受け入れるように構成することができる。キャビティ５６０は、単一のチャネルとして配列することも、図５に示されるように複数のチャネルとして配列することもできる。複数の領域を含むアセンブリが利用される場合、流体チャネルのパターンが、複数の領域を含むことができることに影響を及ぼす可能性がある。例えば、第１の流体チャネル５２５として図５に示されるようなコイルパターンを設けることによって、ある領域がコイル間に設けられて、第２の流体チャネル５３５へのアクセスを得ることが可能になる。例えば、第１の流体チャネル５２５に螺旋チャネルを利用することもできるが、このような構成は第２の流体チャネルへのアクセスを妨げる可能性があり、この場合、そうでなければ２つのチャネルが交差する可能性がある。同一の流体が供給される場合、この交差点をチャネル機構に設けることができるが、異なる流体、または異なる温度の流体が利用される場合には、このような交差配列は実用的であり得ない。
【００５４】
プレート５００はさらに、処理副生成物がペデスタル基板支持面に堆積されることを解消、制限または防止するために利用できるパージ出口５５５を含むことができる。パージ出口５５５は、１つまたは複数のリングとして構成することができ、または別法として、プレート５００全体にわたって様々な位置に配置することもできる。一例として図５に示されるように、出口は２つのリングに置かれるが、０個、１個、２個、３個、４個、５個、６個、７個、８個など、またはそれより多いリングを含めて、任意の数のリングを使用することができる。図５に示された実施形態に表されているように、内側リングがパージ出口５５５ａを含み、外側リングがパージ出口５５５ｂを含む。任意の数の出口をプレート５００上に配列することができる。図示のように、内側リングは約１２個以下のパージ出口５５５ａを含むことができる。あるいは、内側リングは、約１０個、８個、６個、４個、または２個未満の出口５５５ａを含むことができ、いくつかの実施形態では、パージ出口５５５ａの内側リングを含まないことが可能である。加えて、外側リングは、約４８より多い、またはこれより少ないパージ出口５５５ｂを含むことができる。あるいは、外側リングは、約４０個、３２個、２４個、２０個、１６個、１２個、８個、４個、または２個の、またはこれらより少ないパージ出口５５５ｂを含むことができる。再び、いくつかのプレート構成では、パージ出口５５５ｂの外側リングを含まないことが可能である。説明した内側または外側リングとして同じ数または異なる数のパージ出口５５５を含む、追加のリングもまた利用することができる。
【００５５】
図６は、本技術の実施形態によるペデスタルの構成要素プレートの分解組立斜視図を示す。図に示されているように、５つの構成要素プレートが使用されているが、もっと多くの、または少ないプレートを本技術の様々な実施形態に利用することができる。第１のプレート６１０は、処理のために上に基板を置くことができる基板支持面を備えることができる。プレートは、パージガス出口６１８の少なくとも一部分を含むことができる。第１のプレート６１０の下は、第２のプレート６２０とすることができる。第２のプレート６２０は、第１の流体チャネル６２２の第１および第２の部分の少なくとも一部と、第２の流体チャネル６２４の第３および第４の部分の少なくとも一部と、第１のパージチャネル６２６の少なくとも第１の部分とを画定する領域を含むことができる。第２のプレート６２０は、プレート全体にわたって分散されたパージ出口６２８の一部分を追加して含むことができる。
【００５６】
第２のプレート６２０の下は第３のプレート６３０とすることができる。第３のプレート６３０は、第１のパージチャネル６３６の少なくとも第２の部分を画定する領域を含むことができる。第１のパージチャネル６３６の部分は、第２のプレート６２０によって画定される第１のパージチャネル６２６の第１の部分と流体連通するように構成することができる。第３のプレートはまた、プレート全体にわたって分散されたパージ出口６３８の一部分を含むこともできる。第３のプレート６３０の下は第４のプレート６４０とすることができる。第４のプレートは、基板支持面とステムの間の付加的な絶縁をすることができ、加えて、第３のプレート６３０の裏側に少なくとも部分的に配置できる第１のパージチャネルを少なくとも部分的に画定することができる。最後に、第５のプレート６５０は、第４のプレートの下に設置することができる。第５のプレートは、基板支持面とステムの間のさらなる付加的な熱分離をすることができ、いくつかの実施形態では、第５のプレートは、第２の流体チャネル６５５の第３および第４の部分の少なくとも一部を画定する領域を含むことができる。第２の温度制御された流体は、前述したようにステム内部チャネルから送出することができ、またペデスタルの第２の領域を通る循環のために、温度制御された流体を第２のプレート６２０まで送出する接続部（図示せず）に向けて第５のプレート全体にわたって循環させることができる。プレート６２０、６３０、６４０、および６５０のそれぞれは追加の接続部を含むことができ、この接続部を通して、第１の温度制御された流体を第２のプレート６２０の第１の流体チャネル６２２まで送出することができる。
【００５７】
図７は、本技術の実施形態によるペデスタル７００の構成要素プレートの上面斜視図を示す。図示のように、ペデスタル７００はさらに、前述の第２のパージチャネルを少なくとも部分的に画定するパージ分配プレート７１０を含むことができる。分配プレート７１０は、セラミックまたは他の、低い熱伝導率を有し得る材料で作ることができる。第２のパージチャネルは、ペデスタルとステムの間の熱分離をして、基板全体にわたる温度プロファイルの均一性を改善することができる。図６の一例に示されたように、ペデスタル構成要素プレートの下に含まれた場合に、第２のパージチャネルを完全に画定することができる。第２のパージチャネル内にパージガスの流路をさらに画定するために、複数のオリフィスを利用することができる。
【００５８】
例えば、パージガスはステム中を上へ、内部チャネル７０５を通して送出することができる。次にパージガスは、図６の例示的な設計の第５のプレート、すなわち底部プレートの下で、パージ分配プレート７１０の最初のオリフィス７１２まで進むことができる。パージガスは、オリフィス７１２を通ってパージ分配プレート７１０の下を、ステムベース７０８によって少なくとも部分的に画定することができる領域まで流れ得る。パージガスは、オリフィス７１４を通って上へ、オリフィス７１６を通って下へ、オリフィス７１８を通って上へ、オリフィス７２０を通って下へと還流することができ、次いでパージガスは、第２の分離空洞７２５へ送出することができる。パージ分配プレートは、用途に応じてもっと多数または少数のオリフィス通路を含むことができる。パージ分配プレートは、金属、セラミック、プラスチックまたは他の、パージガスを流れやすくし、かつ／またはステムとペデスタルの間の熱伝達を最小限にすることができる材料で作ることができる。
【００５９】
以上の記述では、説明を目的として、本技術の様々な実施形態についての理解が得られるように多数の細部が示されてきた。しかし、当業者には、いくつかの実施形態はこれらの細部のいくつかを用いなくても実践できること、または追加の細部を用いて実践できることが明らかであろう。
【００６０】
いくつかの実施形態を開示したが、当業者には、開示された諸実施形態の趣旨から逸脱することなく様々な修正、代替構造物、および等価物を使用できることが認識されよう。加えて、いくつかのよく知られた処理および要素は、本技術を不必要に不明瞭にしないようにするために、説明されていない。それゆえに、上記の説明は、本技術の範囲を限定するものと解釈されるべきではない。
【００６１】
ある範囲の値が与えられている場合、その範囲の上限と下限の間の、特に明確に指示されていない限り下限の最小の断片の単位までの各介在値もまた、明確に開示されていることを理解されたい。提示された範囲内の任意の提示値または介在値と、その提示された範囲内の別の任意の提示値または介在値との間のそれぞれのより小さい範囲が包容されている。これらのより小さな範囲の上限および下限は、別個にその範囲内に含まれることも除外されることもあり、そのより小さな範囲内に上下限のどちらかまたは両方が含まれ、あるいはどちらも含まれないそれぞれの範囲もまた、提示された範囲内で明確に除外されたどの限度も条件として、本発明の中に包容される。提示された範囲がこれら限度の一方または両方を含む場合、これらの含まれた限度のどちらかまたは両方を除外する範囲もまた含まれる。
【００６２】
本明細書および添付の特許請求の範囲では、単数形「１つの（ａ）」、「１つの（ａｎ）」、および「その（ｔｈｅ）」は、特に指示されていない限り複数の指示物を含む。すなわち、例えば、「１つの誘電体材料」に言及することには、複数のこのような材料に言及することが含まれ、「その用途」に言及することには、１つまたは複数の用途、および当業者に知られているその等価物を示すことが含まれる、などである。
【００６３】
また、「備える（ｃｏｍｐｒｉｓｅ）」、「備える（ｃｏｍｐｒｉｓｉｎｇ）」、「含む（ｃｏｎｔａｉｎｓ）」、「含む（ｃｏｎｔａｉｎｉｎｇ）」「含む（ｉｎｃｌｕｄｅ）」、「含む（ｉｎｃｌｕｄｉｎｇ）」、および「含む（ｉｎｃｌｕｄｅｓ）」という語は、本明細書および添付の特許請求の範囲では、提示された特徴、完全体、構成要素、またはステップの存在を明示するものであるが、他の１つまたは複数の特徴、完全体、構成要素、ステップ、動作または群の、存在または追加を排除しない。
【図１】
2018201027.tif 000003
【図２】
2018201027.tif 000004
【図３】
2018201027.tif 000005
【図４】
2018201027.tif 000006
【図５】
2018201027.tif 000007
【図６】
2018201027.tif 000008
【図７】
2018201027.tif 000009
【手続補正書】
【提出日】平成30年8月16日(2018.8.16)
【手続補正１】
【補正対象書類名】特許請求の範囲
【補正対象項目名】全文
【補正方法】変更
【補正の内容】
【特許請求の範囲】
【請求項１】
基板支持面を有するペデスタルと、
前記基板支持面の反対側で前記ペデスタルと結合されたステムであって、前記ペデスタルとの間で温度制御された流体の受け渡しを行うように構成されたステム内部チャネル対を含むステムと、
前記ペデスタルの中心領域内に画定された流体チャネルと
を備え、
前記流体チャネルは、入り口部で前記ステム内部チャネル対の一方と結合して、そのチャネルから前記温度制御された流体を受け入れる一方で、出口部で前記ステム内部チャネル対の他方と結合して、そのチャネルに前記温度制御された流体を渡すように構成され、
前記流体チャネルは、前記入り口部と前記出口部の間に第１のチャネル部分と第２のチャネル部分とを備え、
前記第１のチャネル部分と前記第２のチャネル部分とは互いに上下に隔たった垂直な位置関係であって、互いに逆向きの平行なパターンで結合し、
前記流体チャネルにおいて、前記入り口部で受け入れた流体は、まず前記第１のチャネル部分に導かれ、その後で前記第２のチャネル部分を通り、その後で前記出口部を通るように、前記第１のチャネル部分と前記第２のチャネル部分とが構成されている、基板支持アセンブリ。
【請求項２】
前記流体チャネルが、前記温度制御された流体を前記入り口部から半径方向外向きに前記ペデスタルに通すようにするコイルパターンとして構成される、請求項１に記載の基板支持アセンブリ。
【請求項３】
前記ステムが、前記ステム内部チャネルとは別のヒータであって、前記ペデスタルとは異なる温度にステムを維持するように動作可能なヒータを備える、請求項１に記載の基板支持アセンブリ。
【請求項４】
前記流体チャネルの前記第１のチャネル部分と前記第２のチャネル部分との間の垂直な位置関係は、垂直方向に位置が合わせられている、請求項１に記載の基板支持アセンブリ。
【請求項５】
遠位に設置され外側が閉じた空洞を有するパージチャネルをさらに備え、パージチャネルは、ペデスタル内で前記流体チャネルの下側に少なくとも一部が画定されるとともに、パージチャネル内にあるステムパージチャネルから加圧流体を受け入れてパージチャネル全体にわたって前記ペデスタル内に流体バリアを形成するように構成される、請求項１に記載の基板支持アセンブリ。
【請求項６】
前記ペデスタルは、複数のプレートを備え、複数のプレートは、前記ペデスタルを形成すべく、互いに結合している、請求項１に記載の基板支持アセンブリ。
【請求項７】
基板支持面を有するペデスタルと、
前記基板支持面の反対側で前記ペデスタルと結合されたステムであって、前記ペデスタルとの間で温度制御された流体の受け渡しを行うように構成されたステム内部チャネル対を含むステムと、
前記ペデスタルの中心領域内に画定された流体チャネルと
を備え、
前記流体チャネルは、第１のチャネル部分と第２のチャネル部分とを備え、
前記第１のチャネル部分と前記第２のチャネル部分とは互いに上下に隔たった垂直位置関係であり、
流体は先に前記第１のチャネル部分に導かれ、その後で前記第２のチャネル部分を通を通るように、前記第１のチャネル部分と前記第２のチャネル部分とが構成されている、基板支持アセンブリ。
【請求項８】
前記流体チャネルが、前記温度制御された流体を前記第１のチャネル部分を介して、半径方向外向きに前記ペデスタルに通すようにするコイルパターンとして構成される、請求項７に記載の基板支持アセンブリ。
【請求項９】
前記ステムが、前記ステム内部チャネルとは別個であるヒータを備え、当該ヒータは、前記ペデスタルとは異なる温度にステムを維持するように動作可能である、請求項７に記載の基板支持アセンブリ。
【請求項１０】
前記流体チャネルの前記第１のチャネル部分と前記第２のチャネル部分との間の垂直位置関係は、垂直方向に位置合わせされた位置関係である、請求項１に記載の基板支持アセンブリ。
【請求項１１】
遠位に設置され外側が閉じた空洞を有するパージチャネルをさらに備え、パージチャネルは、ペデスタル内で前記流体チャネルの下側に少なくとも一部が画定されるとともに、パージチャネル内にあるステムパージチャネルから加圧流体を受け入れてパージチャネル全体にわたって前記ペデスタル内に流体バリアを形成するように構成される、請求項７に記載の基板支持アセンブリ。
【請求項１２】
前記ペデスタルは、複数のプレートを備え、複数のプレートは、前記ペデスタルを形成すべく、互いに結合している、請求項１に記載の基板支持アセンブリ。
【請求項１３】
基板支持面を有するペデスタルと、
前記基板支持面の反対側で前記ペデスタルと結合されたステムであって、前記ペデスタルとの間で温度制御された流体の受け渡しを行うように構成されたステム内部チャネル対を含むステムと、
前記ペデスタルの中心領域内に画定された流体チャネルと、
ペデスタル内に画定される、遠位に設置され外側が閉じた空洞を有するパージチャネルと
を備え、
前記流体チャネルは、第１のチャネル部分と第２のチャネル部分とを備え、
前記第１のチャネル部分と前記第２のチャネル部分とは互いに上下に隔たった垂直位置関係であり、
前記パージチャネルは、前記ペデスタル内で前記流体チャネルの下側に少なくとも一部が画定され、ステムパージチャネルから加圧流体を受け入れるように構成される、基板支持アセンブリ。
【請求項１４】
前記パージチャネルは、その内部の流体によりパージチャネル全体にわたって前記ペデスタル内に流体バリアを形成するように構成される、請求項１３に記載の基板支持アセンブリ。
【請求項１５】
前記流体チャネルが、前記温度制御された流体を前記第１のチャネル部分を介して、半径方向外向きに前記ペデスタルに通すようにするコイルパターンとして構成される、請求項１３に記載の基板支持アセンブリ。
【請求項１６】
前記ステムが、前記ステム内部チャネルとは別個であるヒータを備え、当該ヒータは、前記ペデスタルとは異なる温度にステムを維持するように動作可能である、請求項１３に記載の基板支持アセンブリ。
【請求項１７】
前記流体チャネルの前記第１のチャネル部分と前記第２のチャネル部分との間の垂直位置関係は、垂直方向に位置が一致する位置関係である、請求項１３に記載の基板支持アセンブリ。
【請求項１８】
前記ペデスタルは、複数のプレートを備え、複数のプレートは、前記ペデスタルを形成すべく、互いに結合している、請求項１３に記載の基板支持アセンブリ。
【外国語明細書】
2018201027000001.pdf